(57)【要約】【課題】前記更新時間内で表示用データを全て書き込むことが必要な場合と、そうでない場合を判別し、それぞれに合わせて最適な表示色数を決めることのできる携帯電話装置を実現する。【解決手段】表示する画像データのフォーマットを判別する判別手段を備え、表示する画像データのフォーマットにより表示手段の色数を切り替える。このように画像データフォーマットにより表示色数を変える事により、動画像表示におけるデータ書き込み時間を確保することができる。また、同時に表示部を構成するＬＣＤの消費電流を削減することができる。【選択図】  図２
2004253844.tif 000002
【特許請求の範囲】
【請求項１】
画像データの送受信を行う無線手段と、前記無線手段で送受信される画像データを保存する記憶手段と、前記無線手段で送受信される画像データ、あるいは前記記憶手段に保存される画像データを所定の表示色数を用いてカラー表示する表示手段と、表示する画像データのフォーマットを判別する判別手段を備え、前記判別手段は表示する画像データのフォーマットにより前記表示手段の色数を切り替えることを特徴とする携帯電話装置。
【請求項２】
前記判別手段は、前記表示手段に表示する色数により前記表示手段を駆動するデータバスの幅を切り替えることを特徴とする請求項１記載の携帯電話装置。
【請求項３】
前記携帯電話装置は画像撮影手段を備え、前記画像撮影手段で撮影された画像データを前記記憶手段に保存することを特徴とする請求項１記載の携帯電話装置。
【請求項４】
前記判別手段は、前記画像撮影手段で撮影された画像データを前記表示手段に表示する場合は減色して表示し、前記記憶手段に保存する場合は減色しないで保存することを特徴とする請求項１記載の携帯電話装置。
【発明の詳細な説明】
【０００１】
【発明の属する技術分野】
本発明は、表示手段を有する携帯電話装置に係り、特に表示手段の表示色数を制御可能な携帯電話装置に関する。
【０００２】
【従来の技術】
近年の携帯電話装置はカラー液晶からなる表示手段を有し、利用者にとって利便性の高い情報提供が可能になっている。最近は表示色数が増加し、さらに静止画像表示の他、動画像表示の要求が高まっているため、表示手段へ書き込むデータが増大する傾向にある。動画像表示を行う場合、滑らかな動画像を表示するため、１秒間に約１０回以上の画面更新の必要がある。一般にＴＦＴ液晶は、各画素に対応した表示用メモリに格納されたデータによって指定された明るさとなるように約１０ｍｓ（以下１０ｍｓとして説明する）ごとに繰返し駆動される。前記繰返し駆動する動作を、以下の説明では更新と呼ぶ。前記表示用メモリに格納されているデータが長時間変わらなければ静止画であり、動画の場合は前記更新時間よりも長いが、人の目には個別に感知できないような短時間でデータが変更される。
【０００３】
静止画表示の場合、仮に表示色数が多くて、前記更新時間を越えてしまう場合は、分割してデータを表示用メモリに格納し、途中の画面は正しい画面でなくても、全データが表示用メモリに格納された時点で正しい表示になれば、途中の時間が短いので大きな問題はない。一方、動画表示の場合は、各画面のデータを前記１０ｍｓの繰返し駆動時間内に表示データを更新し、表示する必要がある。もし、前記更新時間内に表示用メモリへのデータ書き込みが完了しないと、残りのデータは次の更新画面で位置がずれて表示され、動画で表示される動きがスムーズでなくなり、ユーザが異常を感じることとなる。
【０００４】
表示データをマイクロプロセッサから表示用メモリに全て送るのに要する転送時間は、表示パネルの画素数と表示色数の積によって決定される。最近のように画素数が１７０×１３０程度のカラー液晶では、前記表示用データの１画面分の転送時間は、前記更新時間１０ｍｓに近くなっている。画素数を固定した場合、表示色数が多くなると全体データ量が増加し、前記更新時間１０ｍｓ以内に表示用データをマイクロプロセッサから表示用メモリに転送し切れない可能性が出てきている。
液晶表示手段の表示色数制御に関して特開２００２−１４１９８３号公報に記載されているように、端末の動作モードにより表示情報に応じて表示色数を切り替る技術が開示されている。
【０００５】
【特許文献１】
特開２００２−１４１９８３号公報
【０００６】
【発明が解決しようとする課題】
従来の携帯電話装置では表示色数の増加による表示用メモリへの書き込み時間の増加が限界に近づいてきているという問題があった。これに対し上記特開２００２−１４１９８３号公報に記載の技術は消費電流の低減を目的としており、特に動画像表示における表示手段への書き込みデータ量増加による書き込み時間の増大については考慮されていなかった。
【０００７】
本発明の目的は前記更新時間内で表示用データを全て書き込むことが必要な場合と、そうでない場合を判別し、それぞれに合わせて最適な表示色数を決めることのできる携帯電話装置を実現することにある。
【０００８】
【課題を解決するための手段】
本発明の携帯電話装置は、画像データの送受信を行う無線手段と、無線手段で送受信される画像データを保存する記憶手段と、無線手段で送受信される画像データあるいは記憶手段に保存される画像データを所定の表示色数を用いてカラー表示する表示手段と、表示する画像データのフォーマットを判別する判別手段を備え、表示する画像データのフォーマットにより表示手段の色数を切り替えることによって上記課題を達成する。
【０００９】
【発明の実施の形態】
以下図面を参照しながら本発明の実施形態について説明する。
図１は、本発明を適用した一実施形態である携帯電話装置のブロック図である。携帯電話装置１００は、無線部１０１、制御部１０２、入出力部１０３、および電源部１０４から構成される。無線部１０１はアンテナ１０５、送信部１０６、受信部１０７、デュプレクサ１０８、シンセサイザ１０７を有し、基地局等の外部機器とデータの送受信を行う。制御部１０２は、ＣＰＵを中心とするベースバンド信号処理部１１０、ＲＡＭ１１１、携帯電話装置１００の動作に関する各種制御プログラムおよび画像、音声等のデータを格納するＲＯＭ１１２を有し、ベースバンド信号処理部１１０が携帯電話装置１００全体の制御を司る。入出力部１０３は、表示部１１３、スピーカ１１４、レシーバ１１５、マイク１１６、操作部１１７およびカメラ１１８を有する。表示部１１３は例えば液晶ディスプレイ（ＬＣＤ）からなり、無線部１０１が受信したデータや利用者が操作部１１７から入力したデータのほか、自装置の状態、機能情報等を表示する。スピーカ１１４は着信等を報知し、レシーバ１１５は受信した相手方の音声を出力する。マイク１１６は利用者が音声を入力するものである。操作部１１７は複数のキー等からなり、利用者はこれらのキー操作によりデータ、コマンド等を入力する。電源部１０４は、例えばＤＣ−ＤＣコンバータからなり、電池出力電圧をもとに所定電源電圧ＶＣＣを生成する電源１１９、リチウム電池等の電池１２１、及び充電回路１２０を有し、携帯電話装置１００各部に電力を供給する。
【００１０】
次に、無線回線通信について詳述する。着呼があると基地局から着信信号が送出され、アンテナ１０５で受信された着信信号は、デュプレクサ１０８、受信部１０７を経由してベースバンド信号処理部１１０で信号処理された後、基地局の指示に従い、応答信号がベースバンド信号処理部１１０から、送信部１０６、デュプレクサ１０８、アンテナ１０５を介して基地局へ送信される。基地局はこれにより規定の応答信号が受信できると、通話チャンネルを決定してチャンネル指定信号を返す。携帯電話装置１００は基地局から送出されたチャンネル指定信号を同経路で受信してベースバンド信号処理部１１０で信号処理した後、指定されたチャンネルに切り替えるためにシンセサイザ１０９に制御信号を送出する。
【００１１】
チャンネルの切り換えが完了し、通話チャンネルでの通信が確立すると、携帯電話装置１００は、表示部１１３への着信表示或いはスピーカ１１４からの着信音出力を行って利用者へ着信がある旨の報知を行う。これを受け、利用者が通話ボタン押し下げ等の応答を操作部１１７から入力すると、ベースバンド信号処理部１１０は通話チャンネルの信号を通信モードに応じて入出力部の適切な入出力器に接続して通信を開始する。例えば、音声信号の場合はレシーバ１１５およびマイク１１６に接続する。
【００１２】
次に、発呼する場合について説明する。利用者は操作部１１７等の利用者インターフェースを介して、通信モード（音声通信、メール、ブラウジング等）、接続先の指定等必要な情報をベースバンド信号処理部１１０に入力するとともに、発信ボタンの押し下げ等により発呼要求の入力を行う。これにより、発呼信号が、ベースバンド信号処理部１１０から、送信部１０６、デュプレクサ１０８、アンテナ１０５を介して送信される。基地局は規定の発呼信号を受信すると、通話チャンネルを決定し、チャンネル指定信号を返す。携帯電話装置１００は基地局から送出されたチャンネル指定信号を前述の経路で受信してベースバンド信号処理部１１０で信号処理した後、指定されたチャンネルに切り替えるためにシンセサイザ１０９に制御信号を送出する。チャンネルの切り換えが完了し、通話チャンネルでの通信が確立するとリングバック信号が基地局側から送出され、さらに指定された接続先が応答すると通話が確立する。通話が確立すると同時に通信モードに応じた入出力器に信号を接続し、例えば音声信号の場合は着呼時と同様に処理し、インターネット接続の場合は表示部１１３に接続してベースバンド信号処理部１１０が処理内容に応じて画像を表示する。
【００１３】
携帯電話装置１００はインターネット接続の場合に、アクセスポイントから基地局および無線部１０１を介して画像データをダウンロードして表示部１１３に表示およびＲＯＭ１１２に保存することができる。保存した画像は利用者が任意に表示部１１３に表示する。この場合の画像は静止画像または動画像である。予めＲＯＭ１１２にプリセットデータとして保存された静止画像および動画像を、利用者が任意に表示部１１３に表示することもできる。
また、画像ファイルが添付されたメール受信を受信した場合は、メール開封時に表示あるいはＲＯＭ１１２に保存し、インターネット接続と同様に利用者が任意に表示部１１３に表示することができる。
【００１４】
図２は本実施形態おける表示部１１３へ送られる画像データの詳細である。（Ａ）に第一の例として２１８階調２６２，１４４色（以下２６万色）を表示する場合、（Ｂ）に第二の例として２１６階調すなわち６５，５３６色（以下６万５千色）を表示する場合を示している。図２の（Ａ）の上部に示されているＤ１５、Ｄ１４・・・Ｄ８、（Ｂ）の上部のＤ１５・・・Ｄ０は各画素に対応する画像表示メモリにデータを送る際のデータの各ビットを表している。左側の画素１、画素２・・画素ｎはカラー表示する場合の１つの画素のデータを表し、四角に囲まれた中に表示されている例えば１Ｒ６は画素１の赤を表すデータの第６ビットを意味する。右側の１回目、２回目・・ｎ回目、あるいは１回目・・・３ｎ回目はデータを表示手段の表示用メモリに転送するアクセスの順番を表している。図３は本実施形態に係わる表示部制御回路の詳細である。ＤＢ２００は、表示部１１３に表示する画像データを伝送する１６ビット（２バイト）幅のデータ信号バスであり、上位１バイト、下位１バイトの構成である。
【００１５】
ＤＳ２０１はデータ信号バスで送られるデータが画像データであるか、表示部１１３の動作モードを切り替えるコマンドデータか、表示部１１３に報知する信号であり、ＷＥ２０２はベースバンド信号処理部１１０が表示部１１３へのデータ書込みを可能にする信号であり、ＣＳ２０３はベースバンド信号処理部１１０が表示部１１３を選択する信号であり、ＶＤ２０４はベースバンド信号処理部１１０が画像データをＤＢ２００を介して表示部１１３に書込み、あるいは表示部１１３の画像を更新する際に、表示部１１３へのデータ書込み開始を表示部１１３の画像更新と同期をとるための同期信号である。
【００１６】
図４は表示部１１３を構成する液晶パネルの詳細である。図５、図６は画像データ書き込み時のタイミングチャートである。図５は図２（Ａ）に対応し、１画素のデータを３回に分けて送る場合を示し、図６は図２（Ｂ）に対応して、１画素のデータを１回で転送する場合を示している。
図４に示すように表示部１１３を構成しているカラーＬＣＤは、一般的に赤（以下Ｒ）、緑（以下Ｇ）、青（以下Ｂ）のサブ画素を１単位として１画素を構成している。図４の例では横１３２画素、縦１７６画素の合計２３２３２画素から成っている。
２６万色を表示する場合、図２に示すように各サブ画素あたりのデータ量は６ビット、１画素あたり１８ビットとなる。本実施例ではデータ信号バスは１６ビットであるため、各サブ画素６ビットずつ３回に分割して転送している。ＤＢ２０２は上位１バイトまたは下位１バイトを有効とし、有効なバスのうち上位６ビットを有効データ、下位２ビットを無効データとしている。上位２ビットを無効データ、下位６ビットを有効データとしてもよい。このように図２に示す２６万色のデータ書込みでは１画素書きかえるために３回バスにアクセスする必要があり、ｎ個の画素を書きかえるためには、３ｎ回のバスアクセスが必要である。
【００１７】
次の例として２１６階調すなわち６５，５３６色（以下６万５千色）を表示する場合を説明する。６万５千色の場合、図２に示すようにサブ画素Ｒが５ビット、サブ画素Ｇが６ビット、サブ画素Ｂが５ビットであり、１画素あたり１６ビットのデータとなる。したがってＤＢ２０２は２バイトを有効とする。１画素のデータが１６ビットであるのに対してＤＢ２０２は２バイト、すなわち１６ビットであるから１回のバスアクセスで１画素のデータ書込みが完了する。ｎ個の画素を書きかえる場合、ｎ回のバスアクセスとなる。２６万色の画像を表示する場合と比較すると、３分の１の時間で画像データ書込みが完了する。
【００１８】
図７に示すように前記更新時間（１０ｍｓ）以内に１画面分のデータを送りきれない場合、図９に示すように画面の途中に不連続がある画像になる。仮にこのような画面が発生した場合、一連の画面の最初や最後の時間であれば、見ている人にとって気にならないが、途中では不自然さを感じる。静止画の場合は一つの画面を、最初表示手段の表示用メモリに送ってしまえば、表示手段がその画面を表示し続けるため、特に問題はない。しかしながら、動画の場合は、常時変化する画面の一つ一つを表示する際に、上記のような不自然な画面があると見る人が違和感や異常を感ずるため、一つの画面のデータは一回のデータ転送で表示手段の表示用メモリに送ることが必要である。
【００１９】
次に静止画像は２６万色表示、動画像表示では６万５千色表示とした場合の例を説明する。図８の例の場合、表示エリアは図８（Ａ）の静止画像では１３２×１６０画素、図８（Ｂ）の動画像では１２０×９６画素であり、静止画像のほうが書きかえる画素数は多い。しかし、静止画像の場合は、書きかえる頻度が高くとも画面データが変わる間隔は数百ｍｓ毎であるため一つの画面の表示時間は長い。表示色数が多いなどの理由で、データを書きかえる時間が前記更新時間１０ｍｓを越える場合は、１画面分の画素データを複数回に分割し、画面を部分的に書き換えていく。前述のように静止画の場合、画像が静止しているため、使用者に特に違和感なく表示することができる。そのため、１画面データを送るのに３サイクルを要するが、より多くの色を表現できる１８ビットの２６万色表示としている。一方動画像の場合は、既述したようにデータを書き換えを更新時間の１０ｍｓ以内に行う必要がある。そのため、１回で画面データのデータ転送が完了する１６ビットの６万５千色表示としている。
【００２０】
次に画像表示色数が異なる２つと、静止画、動画の組み合わせが考えられる場合に画像データフォーマットを判別して、画像表示モードをベースバンド信号処理部で決定するフローについて図１０と図１１を用いて説明する。図１０は初期状態が６万５千色表示となっている場合である。無線部１０１を介してダウンロードした画像データ、メールに添付された画像データまたはＲＯＭ１１２に保存されている画像データをベースバンド信号処理部１１０に取り込み（Ｓ３０２）、データフォーマットの判別を行う（Ｓ３０３）。判別は取り込んだ画像データファイルの拡張子を参照して行う。例えば拡張子が．ＪＰＧであれば静止画、拡張子が．ＭＰＧであれば動画と判別することができる。前述の判別方法によりベースバンド信号処理部１１０が動画像と判別した場合（Ｓ３０３−動画像）は、表示部１１３に図６に示すタイミングで６万５千色の画像データを出力し（Ｓ３０４）、表示部１１３は画像表示を行う（Ｓ３０５）。前述の判別方法によりベースバンド信号処理部１１０が静止画像と判別した場合（Ｓ３０３−静止画像）は、表示部１１３をコマンド入力モードにし（Ｓ３０６）、ベースバンド信号処理部１１０はデータバスＤＢ２００を８ビット幅に切り替える（Ｓ３０７）。
【００２１】
切り替え完了後、表示部１１３をデータ入力モードに戻し（Ｓ３０８）、表示部１１３に図５に示すタイミングで２６万色の画像データを出力し（Ｓ３０９）、表示部１１３は画像表示を行う（Ｓ３１０）。図１１に示すように初期状態が２６万色の場合も同様に、ベースバンド信号処理部１１０は画像データファイルの拡張子により動画像、静止画像を判別し、静止画像の場合は２６万色の画像データを表示部１１３に出力し、表示部１１３は画像表示を行い、動画像の場合は、データバスＤＢ２００を１６ビット幅に切り替え、６万５千色の画像データを表示部１１３に出力し、表示部１１３は画像表示を行う。
【００２２】
上記説明では、インターネットを用いて画像データを携帯電話装置にダウンロードして、その画像を表示する場合を用いて説明したが、画像データの取り込みは、携帯電話装置に搭載されているカメラによっても可能である。前記カメラで静止画、あるいは動画を撮像することは既に多くの携帯電話装置で行われている。
携帯電話装置に搭載されたカメラで撮像した画像を表示する場合、上記実施形態によれば、静止画の場合はカメラで撮像された画像はＪＰＥＧ規格に則って記録され、撮影された表示色数（２６万色）で表示部１１３に表示し、動画の場合はＭＰＥＧ規格に則って記録され、表示するときは減色して６万５千色で表示することになる。動画を撮影する場合、記録するときから６万５千色に減色して記録しても良いが、そうすると他の表示手段で表示する場合も６万５千色以下でしか表示できない。一方、記録は減色しないで行い、当該携帯電話装置で表示する場合は減色して６万５千色で表示し、他の外部表示手段にデータを送って表示する場合は、減色しないでデータを送れば、その外部表示手段の表示能力に応じて記録時の表示色数までで表示することが可能になる利点がある。
【００２３】
以上で詳述したように、本発明によれば、画像データフォーマットにより表示色数を変える事により、動画像表示におけるデータ書き込み時間を確保することができる。また、同時に表示部を構成するＬＣＤの消費電流を削減することができる。
【００２４】
【発明の効果】
以上説明したように、本発明によれば携帯電話装置において、画像データフォーマットに応じて最適な表示色数を決めることができる。
【図面の簡単な説明】
【図１】本発明による一実施例である携帯電話装置の構成を示すブロック図である。
【図２】同実施形態に係る画像データバスのフォーマットを示す図である。
【図３】同実施形態に係る表示部制御回路を示す図である。
【図４】同実施形態に係る表示部の詳細を示す図である。
【図５】同実施形態に係る表示データの書き込みタイミングチャートを示す図である。
【図６】同実施形態に係る表示データの書き込みタイミングチャートを示す図である。
【図７】従来技術による動画像データ書き込みタイミングチャートを示す図である。
【図８】同実施形態による携帯電話装置を示す図である。
【図９】従来技術による携帯電話装置を示す図である。
【図１０】同実施形態に係る画像データ判別および画像データ表示のフロ−チャートを示す図である。
【図１１】同実施形態に係る画像データ判別および画像データ表示のフロ−チャートを示す図である。
【符号の説明】
１００  携帯電話装置
１０１  無線部
１０２  制御部
１０３  入出力部
１０４  電源部
１０５  アンテナ
１０６  送信部
１０７  受信部
１０８  デュプレクサ
１０９  シンセサイザ
１１０  ベースバンド信号処理部
１１１  ＲＡＭ
１１２  ＲＯＭ
１１３  表示部
１１４  スピーカ
１１５  レシーバ
１１６  マイク
１１７  操作部
１１８  カメラ
１１９  電源
１２０  充電回路
１２１  電池
２００  データバス
２０１  データ／コマンド切り替え信号
２０２  ライトイネーブル信号
２０３  チップセレクト信号
２０４  同期信号
２０５  リセット信号
【図１】
2004253844.tif 000003
【図２】
2004253844.tif 000004
【図３】
2004253844.tif 000005
【図４】
2004253844.tif 000006
【図５】
2004253844.tif 000007
【図６】
2004253844.tif 000008
【図７】
2004253844.tif 000009
【図８】
2004253844.tif 000010
【図９】
2004253844.tif 000011
【図１０】
2004253844.tif 000012
【図１１】
2004253844.tif 000013